(57)【特許請求の範囲】
【請求項１】
制御対象となる負荷の状態を変化させるための入力端末器と、複数の照明装置が接続された負荷制御端末器とが信号線を介して伝送ユニットにそれぞれ接続されており、前記入力端末器から送信される伝送信号に基づいて、前記伝送ユニットが、前記負荷制御端末器を介して前記入力端末器に関連付けられたアドレス情報と対応する照明装置の状態を制御する照明制御システムに用いられる入力端末器において、
前記信号線が接続される信号接続部と、
前記照明装置周辺の明るさを検出する明るさセンサと接続されるセンサ接続部と、
前記センサ接続部に入力される前記明るさセンサからの出力に基づいて、予め設定された明るさ基準値を基準として、前記照明装置周辺の明るさを明状態または暗状態として判定する明るさ判定部と、
管理者によって調整可能なパラメータである設定時間を設定する時間設定部と、
前記複数の照明装置のうちの、いくつかの照明装置を第１のアドレス情報として設定し、且つ、全ての照明装置を第２のアドレス情報として設定するアドレス設定部と、
前記明るさ判定部にて、前記照明装置周辺の明るさが明状態から暗状態に変化したことが検出された際には、前記第１のアドレス情報に対応する照明装置を点灯させ、その後前記設定時間が経過した際に前記第２のアドレス情報に対応する照明装置を点灯させ、更に、前記照明装置周辺の明るさが暗状態から明状態に変化したことが検出された際には、前記第１のアドレス情報に対応する照明装置を消灯させ、その後前記設定時間が経過した際に前記第２のアドレス情報に対応する照明装置を消灯させるように制御指令を出力する制御部と、を有し、
前記アドレス設定部は、操作者の操作により、前記第１のアドレス情報を任意に変更可能であること
を特徴とする入力端末器。
【請求項２】
前記時間設定部は、管理者によって操作可能なスイッチによって構成されることを特徴とする請求項１に記載された入力端末器。
【請求項３】
前記時間設定部は、前記第１のアドレス情報に関連づけて設定されるタイマ設定により、前記設定時間を設定しており、
前記タイマ設定は、前記第１のアドレス情報に該当する前記照明装置の状態を自動的に切替制御するために設定される時間であることを特徴とする請求項１に記載された入力端末器。
【請求項４】
前記時間設定部は、前記第１のアドレス情報に関連づけて設定されるフェード時間設定により、前記設定時間を設定しており、
前記フェード時間設定は、前記第１のアドレス情報に該当する前記照明装置の状態を連続的に調光するために設定される時間であることを特徴とする請求項１に記載された入力端末器。
【請求項５】
前記第２のアドレス情報は、前記明るさ変化のタイミングを基準に、前記時間設定部において設定される設定時間だけ遅延させたタイミングに対応して状態制御を行う前記照明装置に関するアドレス情報を示すことを特徴とする請求項１から４のいずれか一項に記載された入力端末器。
【請求項６】
前記明るさ変化のタイミングの対応する時刻を時刻データとして記憶する記憶部と、
前記記憶部に記憶された時刻データに基づいて、前記明るさ変化のタイミングの平均的な時刻を平均時刻として算出する平均算出部とをさらに有し、
前記第２のアドレス情報は、前記明るさ変化のタイミングを基準に、前記時間設定部において設定される設定時間だけ先行させたタイミングに対応して状態制御を行う前記照明装置に関するアドレス情報を示しており、
前記制御部は、次回に起きる明るさ変化のタイミングが前記平均算出部において算出される平均時刻であると予測して、当該平均時刻を基準に、前記設定部において設定される設定時間だけ先行させたタイミングにおいて、前記伝送ユニットに対して前記照明装置の状態を制御する制御指令を出力することを特徴とする請求項１から４のいずれか一項に記載された入力端末器。
【請求項７】
前記平均算出部は、地域特性と月日特性とに対応した明るさ変化の基準を示す参照時刻に基づいて、前記平均時刻を補正することを特徴とする請求項６に記載された入力端末器。
【請求項８】
前記明るさ変化は、明状態から暗状態への第１の明るさ変化と、暗状態から明状態への第２の明るさ変化を含み、
前記第１および第２のアドレス情報は、前記第１の明るさ変化および前記第２の明るさ変化に対応してそれぞれ設定されることを特徴とする請求項１から７のいずれか一項に記載された入力端末器。
【請求項９】
少なくとも前記時間設定部を表面に備える壁面プレートを介して、管理者によって操作可能な壁面に配置されることを特徴とする請求項１から８のいずれか一項に記載された入力端末器。
【発明の詳細な説明】
【技術分野】
【０００１】
本発明は、照明制御システムにおいて、制御対象となる負荷の状態を変化させるための入力端末器に関する。この照明制御システムは、入力端末器と、照明装置が接続された負荷制御端末器とが信号線を介して伝送ユニットにそれぞれ接続されており、入力端末器から送信される伝送信号に基づいて、伝送ユニットが、負荷制御端末器を介して入力端末器に関連付けられたアドレス情報と対応する照明装置の状態を制御する。
【背景技術】
【０００２】
例えば、特許文献１には、周囲の明るさを検出する明るさセンサと、多重伝送方式に従って送受信を行う多重伝送信号送受信回路と、所定アドレスを保持する不揮発性メモリとを備え、周囲の明暗判定用の基準レベルと比較して、明るさが明状態から暗状態へと変化する場合に、多重伝送信号送受信回路を介して、所定アドレスに対応する照明装置に対してスイッチオン信号に応じた制御を行うスイッチが開示されている。
【０００３】
また、例えば、特許文献２には、照明負荷により照明される作業面の照度が照度センサにより検出され、照度センサによる検出照度が設定照度に保たれるように照明負荷の光出力をフィードバック制御する照明装置が開示されている。
【特許文献１】特開２００３−２８２２７７号公報
【特許文献２】特開平１１−２３３２６９号公報
【発明の開示】
【発明が解決しようとする課題】
【０００４】
しかしながら、特許文献１に開示された手法によれば、明るさが明状態から暗状態へと変化するタイミングにおいて、照明装置をオン状態に制御するため、明るさ変化のタイミングが照明装置の制御タイミングに対応する。したがって、明るさセンサの入力による制御は１パターンだけとなり、複数の照明装置を制御するケースでは、個々の照明装置が一括で点灯状態へ制御されることとなる。そのため、周囲環境の明るさと、複数の照明装置の全点灯との間にギャップが生じる虞があり、エネルギー効率の観点、および、使用者の使用感の観点から好ましくない。
【０００５】
また、特許文献２に開示された手法によれば、照明装置によって照明される作業面の照度を適切にコントロールするものであり、照明装置周辺の明るさに応じて照明装置の状態を制御するものではない。
【０００６】
本発明は、このような事情に鑑みてなされたものであり、その目的は、周囲環境の明るさに応じて複数の照明装置を制御する場合に、エネルギー効率に優れ、かつ、使用者の使用感の向上を図ることである。
【課題を解決するための手段】
【０００７】
かかる課題を解決するために、本発明は、制御対象となる負荷の状態を変化させるための入力端末器と、複数の照明装置が接続された負荷制御端末器とが信号線を介して伝送ユニットにそれぞれ接続されており、入力端末器から送信される伝送信号に基づいて、伝送ユニットが、負荷制御端末器を介して入力端末器に関連付けられたアドレス情報と対応する照明装置の状態を制御する照明制御システムに用いられる入力端末器を提供する。この入力端末器は、信号線が接続される信号接続部と、照明装置周辺の明るさを検出する明るさセンサと接続されるセンサ接続部と、センサ接続部に入力される明るさセンサからの出力に基づいて、予め設定された明るさ基準値を基準として照明装置周辺の明るさを明状態または暗状態として判定する明るさ判定部と、管理者によって調整可能なパラメータである設定時間を設定する時間設定部と、明るさ判定部における判定結果が明状態と暗状態との間で変化する明るさ変化のタイミングにおいて状態制御を行う照明装置のアドレス情報を示す第１のアドレス情報と、明るさ変化のタイミングを基準として、時間設定部において設定される設定時間だけオフセットさせたタイミングにおいて状態制御を行う照明装置に関するアドレス情報を示す第２のアドレス情報とを設定するアドレス設定部と、明るさ判定部にて、照明装置周辺の明るさが明状態から暗状態に変化したことが検出された際には、第１のアドレス情報に対応する照明装置を点灯させ、その後設定時間が経過した際に第２のアドレス情報に対応する照明装置を点灯させ、更に、照明装置周辺の明るさが暗状態から明状態に変化したことが検出された際には、第１のアドレス情報に対応する照明装置を消灯させ、その後設定時間が経過した際に第２のアドレス情報に対応する照明装置を消灯させるように制御指令を出力する制御部と、を有し、アドレス設定部は、操作者の操作により、第１のアドレス情報を任意に変更可能であることを特徴とする。
【０００８】
ここで、本発明において、時間設定部は、管理者によって操作可能なスイッチによって構成されることが好ましい。あるいは、時間設定部は、第１のアドレス情報に関連づけて設定されるタイマ設定により、設定時間を設定することが好ましい。このタイマ設定は、第１のアドレス情報に該当する照明装置の状態を自動的に切替制御するために設定される時間である。あるいは、時間設定部は、第１のアドレス情報に関連づけて設定されるフェード時間設定により、設定時間を設定することが好ましい。このフェード時間設定は、第１のアドレス情報に該当する照明装置の状態を連続的に調光するために設定される時間である。
【０００９】
また、本発明において、第２のアドレス情報は、明るさ変化のタイミングを基準に、時間設定部において設定される設定時間だけ遅延させたタイミングに対応して状態制御を行う照明装置に関するアドレス情報を示すことが好ましい。
【００１０】
また、本発明は、明るさ変化のタイミングの対応する時刻を時刻データとして記憶する記憶部と、記憶部に記憶された時刻データに基づいて、明るさ変化のタイミングの平均的な時刻を平均時刻として算出する平均算出部とをさらに有することが好ましい。この場合、第２のアドレス情報は、明るさ変化のタイミングを基準に、時間設定部において設定される設定時間だけ先行させたタイミングに対応して状態制御を行う照明装置に関するアドレス情報を示しており、制御部は、次回に起きる明るさ変化のタイミングが平均算出部において算出される平均時刻であると予測して、この平均時刻を基準に、設定部において設定される設定時間だけ先行させたタイミングにおいて、伝送ユニットに対して照明装置の状態を制御する制御指令を出力する。
【００１１】
また、本発明において、平均算出部は、地域特性と月日特性とに対応した明るさ変化の基準を示す参照時刻に基づいて、平均時刻を補正することが好ましい。
【００１２】
また、本発明において、明るさ変化は、明状態から暗状態への第１の明るさ変化と、暗状態から明状態への第２の明るさ変化を含み、第１および第２のアドレス情報は、第１の明るさ変化および第２の明るさ変化に対応してそれぞれ設定されることが望ましい。
【００１３】
また、本発明において、少なくとも時間設定部を表面に備える壁面プレートを介して、管理者によって操作可能な壁面に配設されることが好ましい。
【発明の効果】
【００１４】
本発明によれば、明るさ変化のタイミングと、このタイミングを基準として設定時間だけオフセットさせたタイミングとにおいて、照明装置の状態制御が行われる。そのため、例えば、最初のタイミングで間引き点灯を行い、その後のタイミングにおいて全点灯を行うといった制御が可能となる。これにより、周囲の明るさとマッチングがとれた照明装置の状態制御を実現することができる。その結果、不必要な照明装置の点灯にともなうエネルギーロスや、使用者の使用性の向上を図ることができる。
【００１５】
また、本発明によれば、アドレス情報の設定におけるタイマ設定またはフェード時間設定を利用して設定時間を設定することができる。これにより、構造上の制約がないので、設定時間を細分化することも可能になり、きめ細やかな精度で制御を行うことができる。
【００１６】
また、本発明によれば、次回に起きる明るさ変化のタイミングが平均時刻であると予測して、この平均時刻を基準に、設定時間だけ先行させたタイミングにおいて、照明装置の状態制御が行われる。これにより、照明装置の制御タイミングを、実際の明るさ変化よりも先行して設定することができるので、照明装置の状態を段階的に制御することができる。
【００１７】
また、本発明によれば、平均時間の算出精度の悪化を抑制することができるので、照明装置の状態制御のタイミングの悪化も抑制することができる。
【００１８】
また、本発明によれば、壁面に配置されるので、設定時間の調整を容易に行うことができる。
【発明を実施するための最良の形態】
【００１９】
（第１の実施形態）
図１は、本発明の第１の実施形態にかかる照明制御システムを模式的に示す構成図である。照明制御システムは、伝送ユニット１０と、リレー制御用ターミナルユニット（以下「リレー制御用Ｔ／Ｕ」という）２０と、リレー２５と、リモコントランス３０と、センサ入力端末器４０と、明るさセンサ５５と、操作端末器６０とを主体に構成されている。
【００２０】
リレー制御用Ｔ／Ｕ２０、センサ入力端末器４０および操作端末器６０は、２線式の信号線を介して伝送ユニット１０と相互に接続されており、個々の機器と伝送ユニット１０との間における情報のやり取りは、信号線に多重伝送方式で伝送される伝送信号を通じて行われる。また、リレー制御用Ｔ／Ｕ２０には、リレー２５が接続されており、負荷である照明装置１は、このリレー２５を介してリレー制御用Ｔ／Ｕ２０と接続されている。また、センサ入力端末器４０には、明るさセンサ５５が接続されている。伝送ユニット１０と、リレー制御用Ｔ／Ｕ２０と、リレー２５と、リモコントランス３０と、センサ入力端末器４０とは、リレー制御盤内に組み付けられている。
【００２１】
システム内に存在する照明装置１（正確には、その照明装置１が接続するリレー２５）は、負荷アドレスによって一意に特定することができる。具体的には、リレー制御用Ｔ／Ｕ２０には、負荷チャネル（Ｃｈ）と呼ばれる固有のアドレスが割り当てられており、リレー制御用Ｔ／Ｕ２０に接続するリレー２５には、負荷ナンバー（Ｎｍ）と呼ばれる固有の識別子が割り当てられている。負荷チャネル（Ｃｈ）と、負荷ナンバー（Ｎｍ）とを組み合わせることにより、負荷アドレス（「Ｃｈ−Ｎｍ」）が構成される。本実施形態の照明制御システムでは、負荷チャネルとして「０」が割り当てられたリレー制御用Ｔ／Ｕ２０と、このリレー制御用Ｔ／Ｕ２０に接続し、負荷ナンバーとして「１」〜「４」がそれぞれ割り当てられたリレー２５とが存在している。
【００２２】
本実施形態にかかる照明制御システムは、伝送ユニット１０が、センサ入力端末器４０または操作端末器６０から送信される伝送信号（制御指令）に基づいて、リレー制御用Ｔ／Ｕ２０およびリレー２５を介して、照明装置１の状態を制御することができる。この照明制御システムでは、個別制御、グループ制御およびパターン制御といった様々な照明制御を行うことができる。
【００２３】
個別制御は、単一の照明装置１を制御対象として、オン状態とオフ状態とを交互に切替制御する手法であり、グループ制御は、同一のグループに含まれる複数の照明装置１を制御対象として、オン状態とオフ状態と交互に一括的に切替制御する手法である。一方、パターン制御は、複数の照明装置１を制御対象として、それぞれの照明装置１に予め定められた所定の制御状態（以下「パターン状態」という）へと一括的に制御する手法である。
【００２４】
伝送ユニット１０は、内部のプロセッサの制御のもと、センサ入力端末器４０または操作端末器６０からの伝送信号に基づいて、センサ入力端末器４０または操作端末器６０に関連付けられたアドレス情報から制御対象となる照明装置１を特定するとともに、当該照明装置１に対する制御状態を特定する。そして、伝送ユニット１０は、制御対象となる照明装置１と対応するリレー制御用Ｔ／Ｕ２０に対して、制御対象となる照明装置１（リレー２５の番号）と、その制御状態とを制御指令として送信する。
【００２５】
アドレス情報は、個別アドレス、グループアドレスまたはパターンアドレスを含む。個別アドレスは、個別制御の対象となる照明装置１を特定するための情報であり、負荷アドレスがこれに該当する（例えば、「０−１」など）。グループアドレスは、グループ制御の対象となるグループを特定するための情報であり、予め設定された個々のグループに付与された番号等がこれに該当する（例えば、「Ｇ１」など）。パターンアドレスは、パターン制御の対象となるパターンを特定するための情報であり、予め設定された個々のパターンに付与された番号等がこれに該当する（例えば、「Ｐ１」など）。
【００２６】
伝送ユニット１０は、個々のグループアドレス毎に、そのグループに割り当てられる照明装置１の負荷アドレスを示したグループ情報を保持している。そのため、伝送ユニット１０は、センサ入力端末器４０または操作端末器６０からグループアドレスを取得した場合には、グループ情報を検索することで、このグループアドレスに該当する複数の照明装置１（負荷アドレス）を特定することができる。また、伝送ユニット１０は、個々のパターンアドレス毎に、そのパターンに割り当てられる照明装置１の負荷アドレスと、その照明装置１のパターン状態（例えば、オン状態またはオフ状態）との対応関係を示したパターン情報を保持している。そのため、伝送ユニット１０は、センサ入力端末器４０または操作端末器６０からパターンアドレスを取得した場合には、パターン情報を検索することで、このパターンアドレスに該当する複数の照明装置１（負荷アドレス）と、個々の照明装置１に対するパターン状態とを特定することができる。
【００２７】
リレー制御用Ｔ／Ｕ２０は、リレー２５の制御状態に応じて照明装置１の状態を制御する負荷制御端末器としての機能を担っている。リレー制御用Ｔ／Ｕ２０は、内部のプロセッサの制御のもと、伝送ユニット１０からの伝送信号に基づいて、自己に接続するリレー２５（本実施形態では、４つのリレー２５）のうち、制御対象となる照明装置１に対応するリレー２５に対して制御信号を送ることにより、リレー２５の状態を制御する。個々のリレー２５は、リレー制御用Ｔ／Ｕ２０に制御されて、ブレーカ電源などからの商用交流をオンまたはオフすることにより、照明装置１をオン状態（点灯状態）またはオフ状態（消灯状態）に制御する。
【００２８】
リモコントランス３０は、リレー制御用Ｔ／Ｕ２０、リレー２５およびセンサ入力端末器４０に駆動用の電力を供給する。
【００２９】
センサ入力端末器４０および操作端末器６０は、制御対象となる照明装置１を制御するための制御指令を出力するための入力端末器としての機能を担っている。センサ入力端末器４０は、明るさセンサ５５からのセンサ信号に応じて、上述した各照明制御を行うことができる。明るさセンサ５５は、照明装置の周囲に配置されており、検知領域となる照明装置周辺の明るさを検出する。明るさセンサ５５の出力は、センサ入力端末器４０に入力される。本実施形態の特徴の一つは、このセンサ入力端末器４０にあり、その詳細な説明については後述する。
【００３０】
操作端末器６０は、室内や管理人室などの任意の壁面に設置されており、照明装置１を利用するユーザによってプッシュ操作が可能な端末器である。操作端末器６０は、複数の操作スイッチ６１が設けられており、個々の操作スイッチ６１には、当該操作スイッチ６１によって操作したい照明装置１、グループまたはパターンに対応したアドレス情報が関連付けられている。操作端末器６０は、内部のプロセッサの制御のもと、操作スイッチ６１のいずれかが操作されるのに応じて、その操作スイッチ６１に関連付けられているアドレス情報と、操作スイッチ６１の操作状態（オン状態またはオフ状態）とを制御指令として伝送ユニット１０に送信する。
【００３１】
操作スイッチ６１にアドレス情報として個別アドレスまたはグループアドレスが関連付けられている場合、この操作スイッチ６１のプッシュ操作に応じて、アドレス情報に対応する照明装置１は、オン状態またはオフ状態の間で反転動作する。一方、操作スイッチ６１にアドレス情報としてパターンアドレスが関連付けられている場合、この操作スイッチ６１のプッシュ操作に応じて、アドレス情報に対応する個々の照明装置１は予め設定されたパターン状態へと移行する。
【００３２】
本実施形態では、４つの操作スイッチ６１に対して、負荷アドレス「０−１」〜「０−４」に該当する４つの個別アドレスが関連付けられている。また、これらの操作スイッチ６１とは別の操作スイッチ６１には、センサ入力端末器４０の動作を有効とするか、それとも無効とするかを切り替えるために設定されるアドレス情報（例えば、「１−１」の個別アドレス）が関連付けられている。
【００３３】
図２は、センサ入力端末器４０を模式的に示す外観図である。センサ入力端末器４０は、筐体である本体４０ａを備え、その本体４０ａの正面に、動作確認スイッチ４０ｂ、アドレス設定切替スイッチ４０ｃ、時間設定ボリューム４０ｄ、アドレス送受信部４０ｅ、状態表示ＬＥＤ４０ｆを備えている。また、センサ入力端末器４０には、本体４０ａの左右両サイドに、電源端子４０ｇ、明るさセンサ端子（センサ接続部）４０ｈ、および、信号端子（信号接続部）４０ｉが備えられている。
【００３４】
動作確認スイッチ４０ｂは、照明装置１周囲の明るさの変化に対応して、照明装置１の制御を行うか否かを切り替えるスイッチである。動作確認スイッチ４０ｂは、管理者によって操作可能な一対のスイッチより構成されており、一方のスイッチの操作により、明変化（明状態から暗状態への明るさ変化）に応じて照明装置１の制御を行うか否かを切り替えることができ、他方のスイッチの操作により、暗変化（暗状態から明状態への明るさ変化）に対応して照明装置１の制御を行うか否かを切り替えることができる。
【００３５】
アドレス設定切替スイッチ４０ｃは、センサ入力端末器４０の動作モードを、通常動作を行う通常モードと、各種の設定を行う設定モードとで切り替えるための操作スイッチである。また、アドレス設定切替スイッチ４０ｃは、設定モードの中で、制御アドレス設定と、動作有効／無効アドレス設定とに対応する２つの設定モードを切り替える。このアドレス設定切替スイッチ４０ｃを操作して、通常モードから設定モードに切り替えることにより、後述するアドレス情報の設定が可能となる。アドレス設定切替スイッチ４０ｃは、管理者によって操作可能となっており、通常モードと設定モードとの間における動作モードの切り替えを行うことができる。
【００３６】
時間設定ボリューム（時間設定部）４０ｄは、後述する明るさセンサ制御において、明るさ変化のタイミングを基準として、照明装置１の状態をタイミング的にオフセットさせて制御するためのオフセット時間（以下「設定時間」という）を設定するための操作スイッチである。時間設定ボリューム４０ｄは、管理者によって操作可能となっており、「−ａ（ａ：任意の時間）」から「０」、および、「０」から「＋ｂ（ｂ：任意の時間）」の範囲で設定時間を切り替えることができる。すなわち、この設定時間は、管理者によって調整可能なパラメータとなっている。
【００３７】
アドレス送受信部４０ｅは、管理者によって操作されるアドレス設定器（図示せず）との間で光通信を行うことにより、情報（具体的には、アドレス情報）の送受信を行う。
【００３８】
状態表示ＬＥＤ４０ｆは、センサ入力端末器４０の状態を表示する領域であり、例えば、ＬＥＤ（Light Emitting Diode）によって構成されている。この情報表示ＬＥＤ４０ｆにより、暗変化に対応する動作が有効であるか、明変化に対応する動作が有効であるか、それともセンサ入力端末器４０の動作が無効であるかを報知することができる。また、情報表示ＬＥＤ４０ｆにより、アドレス設定器との間の通信が有効に行われているか否かを報知することができる。
【００３９】
電源端子４０ｇは、明るさセンサ５５用の商用電源が接続され、明るさセンサ端子４０ｈは、明るさセンサ５５が接続される。一方、信号端子４０ｉは、伝送ユニット１０と繋がる信号線が接続される。
【００４０】
図３は、センサ入力端末器４０の機能的な構成を示すブロック図である。センサ入力端末器４０は、マイクロコンピュータ（制御部）４１を主体に構成されており、このマイクロコンピュータ４１には、種々の回路等が接続されている。
【００４１】
時間設定ボリューム入力回路４２は、時間設定ボリューム４０ｄと接続され、時間設定ボリューム４０ｄの操作を検出する。時間設定ボリューム入力回路４２によって検出された時間設定ボリューム４０ｄの切替操作は、マイクロコンピュータ４１で検知され、これにより、マイクロコンピュータ４１によって設定時間の設定が変更される。
【００４２】
アドレス設定回路（アドレス設定部）４３は、アドレス送受信部４０ｅと接続されており、動作確認スイッチ４０ｂのモードが設定モードに切り替えられていることを条件として、アドレス送受信部４０ｅが受信したアドレス情報を取得する。アドレス設定回路４３によって取得されたアドレス情報は、マイクロコンピュータ４１によって、後述するＥＥＰＲＯＭ４６の所定アドレスに格納される。
【００４３】
アドレス設定切替スイッチ入力回路４４は、アドレス設定切替スイッチ４０ｃと接続されて、アドレス設定切替スイッチ４０ｃの操作を検出する。アドレス設定切替スイッチ入力回路４４によって検出されたアドレス設定切替スイッチ４０ｃの切替操作は、マイクロコンピュータ４１によって検知され、これにより、マイクロコンピュータ４１によって現在のモードが通常モードであるのか、それとも設定モードであるのかが認識される。
【００４４】
動作確認スイッチ入力回路４５は、動作確認スイッチ４０ｂと接続されて、動作確認スイッチ４０ｂの操作を検出する。動作確認スイッチ入力回路４５によって検出された動作確認スイッチ４０ｂの切替操作は、マイクロコンピュータ４１によって検知され、これにより、マイクロコンピュータ４１によって、明変化または暗変化に対応する制御を有効とするのか、それとも無効とするのかが認識される。
【００４５】
ＥＥＰＲＯＭ４６は、マイクロコンピュータ４１が動作する各種の設定データが格納される。ＥＥＰＲＯＭ４６に記憶されている設定データとしては、制御対象となる複数の照明装置のＩＤ、現在のモードを示すフラグなどが挙げられる。また、ＥＥＰＲＯＭ４６には、設定データとして、アドレス設定回路４３を通じて取得したアドレス情報、および、時間設定ボリューム入力回路４２を通じて認識された設定時間が、マイクロコンピュータ４１によって格納される。
【００４６】
リセット回路４７は、ＥＥＰＲＯＭ４６に記憶された設定データを初期値に戻す設定動作をするために設けられる。このリセット回路４７は、図示しないリセット用の操作部と接続され、このリセット用の操作部の操作に応じて、マイクロコンピュータ４１によってＥＥＰＲＯＭ４６に記憶されている設定データの内容を初期値にリセットする。
【００４７】
発振回路４８は、通常モードにおいて、経過時間を計時する。発振回路４８は、マイクロコンピュータ４１の制御に従って、計時を開始し、当該計時している値がマイクロコンピュータ４１によって読み取られる。
【００４８】
明るさセンサ検出回路（明るさ判定部）４９は、明るさセンサ端子４０ｈに接続しており、明るさセンサ５５からの出力を検出する。明るさセンサ５５の周囲が明るい場合には、明るさセンサ検出回路４９は、電源端子４０ｇからの商用電源が検出でき、明るさセンサ５５の周囲が明るくない場合（暗い場合）には、明るさセンサ検出回路４９は、明るさセンサ５５からの商用電源が検出できない。これにより、マイクロコンピュータ４１は、明るさセンサ５５から明るさセンサ検出回路４９への信号の有無によって照明装置１の周辺が明るいのか、それとも暗いのかを判定する。換言すれば、明るさセンサ検出回路４９は、明るさセンサ端子４０ｈに入力される明るさセンサ５５からの出力に基づいて、予め設定された明るさ基準値を境に、照明装置１周辺の明るさを明状態または暗状態として判定する（明るさ判定部）。
【００４９】
信号送受信回路５０は、信号端子４０ｉに接続しており、信号線からの伝送信号を受信し、これをマイクロコンピュータ４１に出力する。また、信号送受信回路５０は、マイクロコンピュータ４１が生成した制御指令を信号線に伝送信号として送信する。
【００５０】
電源回路５１は、信号端子４０ｉに接続しており、センサ入力端末器４０が動作するために必要な電力を供給する。
【００５１】
マイクロコンピュータ４１は、明るさセンサ検出回路４９における判定結果に基づいて判断される明るさ変化のタイミングと、アドレス設定回路４３を通じて設定されるアドレス情報（制御アドレス）と、時間設定ボリューム４０ｄによって設定される設定時間とに基づいて、伝送ユニット１０に対して照明装置１の状態を制御する制御指令を出力する。具体的には、マイクロコンピュータは、明るさ変化のタイミングにおいて、アドレス情報によって指定される照明装置の制御状態を指示する制御指令を伝送ユニットに出力するとともに、明るさ変化のタイミングを基準として設定時間だけ遅延させたタイミングにおいて、アドレス情報によって指定される照明装置の制御状態を指示する制御指令を伝送ユニットに出力する（明るさ段階制御）。また、マイクロコンピュータ４１は、動作有効／無効アドレスが設定された操作スイッチ６１のプッシュ操作に応じて、自己の動作を有効とするのか、それとも無効とするのかを切り替えることができる。
【００５２】
このような構成のセンサ入力端末器４０は、動作の前提としてアドレス情報が設定される。本実施形態において、センサ入力端末器４０に設定されるアドレス情報としては、動作有効／無効アドレスと、制御アドレスとが存在する。
【００５３】
図４は、動作有効／無効アドレスの設定を示す説明図である。動作有効／無効アドレスは、センサ入力端末器４０の動作の有効／無効を切り替えるためのアドレス情報である。図４に示すように、動作有効／無効アドレスの設定を前提として、アドレス設定器における４つの設定項目の最上段に、「１−１」に該当する個別アドレスを設定し、この設定項目をアドレス設定器にてセンサ入力端末器４０に送信する。センサ入力端末器４０では、アドレス送受信部４０ｅおよびアドレス設定回路４３を通じてアドレス情報がマイクロコンピュータ４１によって取得されると、このアドレス情報が動作有効／無効アドレスとしてＥＥＰＲＯＭ４６の所定アドレスに格納される。この場合、「１−１」の個別アドレスが関連付けられた操作端末器６０の操作スイッチ６１のプッシュ操作によって、センサ入力端末器４０の動作の有効および無効を切り替えることができる。
【００５４】
ここで、アドレス設定器において、当該設定項目をクリアのままとしておけば、動作有効／無効アドレスは設定されない。なお、このような動作有効／無効アドレス設定の動作は、アドレス設定切替スイッチ４０ｃを設定モードのうち、動作有効／無効アドレス設定に切り替えることにより、有効となる。
【００５５】
図５は、制御アドレスの設定を示す説明図である。制御アドレスは、明るさ変化に対応して状態制御を行う照明装置１のアドレス情報を示している。本実施形態において、制御アドレスは、明変化に対応して制御を行う一対のアドレス情報と、暗変化に対応して制御を行う一対のアドレス情報とを含む合計４つのアドレス情報によって構成されている。具体的には、図５に示すように、アドレス設定器における４つの設定項目において、その最上段から最下段にかけて、「Ｇ１」「Ｇ２」「Ｇ３」「Ｇ２」に該当するグループアドレスを順次設定し、これらの設定項目をアドレス設定器にてセンサ入力端末器４０に送信する。センサ入力端末器４０では、アドレス送受信部４０ｅおよびアドレス設定回路４３を通じてアドレス情報がマイクロコンピュータ４１によって取得されると、このアドレス情報が制御アドレスとしてＥＥＰＲＯＭ４６の所定アドレスに格納される。
【００５６】
設定項目の最上段に「Ｇ１」のグループアドレスを設定した場合、このグループアドレスは、暗変化のタイミングにおいてオン制御を行うアドレス情報として機能する。また、設定項目の上から２段目に「Ｇ２」のグループアドレスを設定した場合、このグループアドレスは、暗変化のタイミングを基準として、時間設定ボリューム４０ｄによって設定される設定時間だけ遅延したタイミングにおいてオン制御を行うアドレス情報として機能する。ここで、同図（ｂ）に示すように、「Ｇ２」は、あるエリア内の全ての照明装置を含むグループであり、「Ｇ１」は、それらの照明装置の中から選択された一部の照明装置を含むグループである。すなわち、「Ｇ２」のオン制御は、あるエリア内の照明装置の全点灯状態となり、「Ｇ１」のオン制御は、あるエリア内の照明装置の間引き点灯状態となる。
【００５７】
一方、設定項目の最下段に「Ｇ２」のグループアドレスを設定した場合、このグループアドレスは、明変化のタイミングにおいてオフ制御を行うアドレス情報として機能する。また、設定項目の下から２段目に「Ｇ３」のグループアドレスを設定した場合、このグループアドレスは、明変化のタイミングを基準として、時間設定ボリューム４０ｄによって設定される設定時間だけ遅延したタイミングにおいてオフ制御を行うアドレス情報として機能する。ここで、同図（ｂ）に示すように、「Ｇ３」は、あるエリア内の照明装置の中から選択された一部の照明装置を含むグループである。すなわち、「Ｇ２」のオフ制御は、あるエリア内の照明装置の全消灯状態となり、「Ｇ３」のオフ制御は、あるエリア内の照明装置の間引き消灯状態となる。
【００５８】
ここで、アドレス設定器において、当該設定項目のいずれかをクリアのままとしておけば、制御アドレスは設定されない。なお、このような制御アドレス設定動作は、アドレス設定切替スイッチ４０ｃを設定モードのうち、制御アドレス設定に切り替えることにより、有効となる。
【００５９】
図６は、本発明の第１の実施形態にかかるセンサ入力端末器４０の明るさ段階制御の手順を示すフローチャートである。このフローチャートに示す処理は、センサ入力端末器４０のマイクロコンピュータ４１によって実行される。なお、本実施形態では、時間設定ボリューム４０ｄによって設定時間が「０」から「＋ｂ」の範囲内（プラス側の時間の範囲内）に設定されていることを前提に説明を行う。
【００６０】
まず、ステップ１０（Ｓ１０）において、センサ入力端末器４０の動作が有効であるか否かが判断される。このステップ１０において肯定判定された場合、すなわち、動作が有効である場合には、ステップ１１（Ｓ１１）に進む。一方、ステップ１０において否定判定された場合、すなわち、動作が有効でない場合には、後述する処理をスキップして本ルーチンを抜ける。
【００６１】
ステップ１１において、明るさ変化があったか否かが判断される。具体的には、照明装置周辺の明るさが明状態から暗状態へと明るさ変化した場合（暗変化）、あるいは、照明装置周辺の明るさが暗状態から明状態へと明るさ変化した（明変化）場合には、ステップ１１において肯定判定され、ステップ１２（Ｓ１２）に進む。一方、明るさ変化がない場合には、ステップ１１において否定判定され、本ルーチンを抜ける。
【００６２】
ステップ１２（Ｓ１２）において、照明装置１をオン制御するシーンであるか否か、すなわち、明るさ変化が暗変化であるか否かが判断される。このステップ１２において肯定判定された場合、すなわち、明るさ変化が暗変化である場合には、ステップ１３（Ｓ１３）に進む。一方、ステップ１２において否定判定された場合、すなわち、明るさ変化が暗変化ではない場合には、ステップ１６（Ｓ１６）に進む。
【００６３】
ステップ１３において、伝送ユニット１０に対する制御指令として、「Ｇ１」のオン制御が出力される。
【００６４】
ステップ１４（Ｓ１４）において、暗変化のタイミングから時間設定ボリューム４０ｄによって設定される設定時間だけ経過したか否かが判断される。このステップ１４における処理では、発振回路４８による経過時間が参照される。ステップ１４において肯定判定された場合、すなわち、暗変化のタイミングから設定時間が経過した場合には、ステップ１５（Ｓ１５）に進む。一方、ステップ１４において否定判定された場合、すなわち、暗変化のタイミングから設定時間が経過していない場合には、所定時間後にステップ１４の処理に戻る。
【００６５】
ステップ１５において、伝送ユニット１０に対する制御指令として、「Ｇ２」のオン制御が出力される。
【００６６】
ステップ１６において、伝送ユニット１０に対する制御指令として、「Ｇ３」のオフ制御が出力される。
【００６７】
ステップ１７（Ｓ１７）において、明変化のタイミングから時間設定ボリューム４０ｄによって設定される設定時間だけ経過したか否かが判断される。このステップ１７における処理では、発振回路４８による経過時間が参照される。ステップ１７において肯定判定された場合、すなわち、明変化のタイミングから設定時間が経過した場合には、ステップ１８（Ｓ１８）に進む。一方、ステップ１７において否定判定された場合、すなわち、明変化のタイミングから設定時間が経過していない場合には、所定時間後にステップ１７の処理に戻る。
【００６８】
ステップ１８において、伝送ユニット１０に対する制御指令として、「Ｇ２」のオフ制御が出力される。
【００６９】
図７は、第１の実施形態に示す処理の流れを時系列的に示す説明図である。同図に示すように、マイクロコンピュータ４１は、明るさセンサ検出回路４９を介して明状態から暗状態への明るさ変化（暗変化）を判断すると、この暗変化のタイミングにおいて、伝送ユニット１０に対する制御指令として、「Ｇ１」のオン制御を出力する。伝送ユニット１０は、この制御指令に基づいて、「Ｇ１」のオン制御を認識すると、グループ情報を参照し、グループ「Ｇ１」に含まれる負荷アドレスを特定する（例えば、負荷アドレス「０−１」，「０−３」）。つぎに、伝送ユニット１０は、負荷チャネル「０」のリレー制御用Ｔ／Ｕ２０に対して、該当するリレー２５に対する制御指令を伝送する。そして、負荷チャネル「０」のリレー制御用Ｔ／Ｕ２０によって、自己に接続する負荷ナンバー「１」および負荷ナンバー「３」のリレー２５がオン状態に制御される。これにより、グループ「Ｇ１」に対応する照明装置１がオン状態に一括的に制御され、間引き点灯状態となる。
【００７０】
また、マイクロコンピュータ４１は、暗変化のタイミングから設定時間だけ遅延したタイミングにおいて、伝送ユニット１０に対する制御指令として、「Ｇ２」のオン制御を出力する。伝送ユニット１０は、この制御指令に基づいて、Ｇ２のオン制御を認識すると、グループ情報を参照し、そのグループ「Ｇ２」に含まれる負荷アドレスを特定する（例えば、負荷アドレス「０−１」〜「０−４」）。つぎに、伝送ユニット１０は、負荷チャネル「０」のリレー制御用Ｔ／Ｕ２０に対して、該当するリレー２５に対する制御指令を伝送する。そして、負荷チャネル「０」のリレー制御用Ｔ／Ｕ２０によって、自己に接続する負荷ナンバー「１」〜「４」のリレー２５がオン状態に制御される。これにより、グループ「Ｇ２」に対応する照明装置１がオン状態に一括的に制御され、全点灯状態となる。
【００７１】
一方、マイクロコンピュータ４１は、明るさセンサ検出回路４９を介して、暗状態から明状態への明るさ変化（明変化）を認識すると、この明変化のタイミングにおいて、伝送ユニット１０に対する制御指令として、「Ｇ３」のオフ制御を出力する。伝送ユニット１０は、この制御指令に基づいて、Ｇ３のオフ制御を認識すると、グループ情報を参照し、そのグループ「Ｇ３」に含まれる負荷アドレスを特定する（例えば、負荷アドレス「０−２」，「０−４」）。つぎに、伝送ユニット１０は、負荷チャネル「０」のリレー制御用Ｔ／Ｕ２０に対して、該当するリレー２５に対する制御指令を伝送する。そして、負荷チャネル「０」のリレー制御用Ｔ／Ｕ２０によって、自己に接続する負荷ナンバー「２」および負荷ナンバー「４」のリレー２５がオフ状態に制御される。これにより、グループ「Ｇ３」に対応する照明装置１がオフ状態に一括的に制御され、間引き点灯状態となる。
【００７２】
また、マイクロコンピュータ４１は、明変化のタイミングから設定時間だけ遅延したタイミングにおいて、伝送ユニット１０に対する制御指令として、「Ｇ２」のオフ制御を出力する。伝送ユニット１０は、この制御指令に基づいて、Ｇ２のオフ制御を認識すると、グループ情報を参照し、そのグループ「Ｇ２」に含まれる負荷アドレスを特定する（例えば、負荷アドレス「０−１」〜「０−４」）。つぎに、伝送ユニット１０は、負荷チャネル「０」のリレー制御用Ｔ／Ｕ２０に対して、該当するリレー２５に対する制御指令を伝送する。そして、負荷チャネル「０」のリレー制御用Ｔ／Ｕ２０によって、自己に接続する負荷ナンバー「１」〜「４」のリレー２５がオフ状態に制御される。これにより、グループ「Ｇ２」に対応する照明装置１がオフ状態に一括的に制御され、全消灯状態となる。
【００７３】
このように本実施形態によれば、明るさ段階制御により、明るさセンサ５５の出力に基づいて判定される明るさ変化のタイミングと、このタイミングを基準として設定時間だけ遅延させたタイミングとにおいて、照明装置の状態制御が行われる。そのため、例えば、最初のタイミングで間引き点灯を行い、その後のタイミングにおいて全点灯を行うといった制御が可能となる。これにより、周囲の明るさとマッチングがとれた照明装置の状態制御を実現することができる。その結果、不必要な照明装置の点灯にともなうエネルギーロスや、使用者の使用性の向上を図ることができる。
【００７４】
また、センサ入力端末器４０と、明るさセンサ５５とは独立した構成となっている。センサ入力端末器４０は、通常のメンテナンス等を考慮して、管理者が保守するリレー制御盤内に配置されているため、明るさセンサ５５が高所などの保守性の悪い場所に配置されていたとしても、センサ入力端末器４０に設けられた時間設定ボリューム４０ｄにより設定時間を容易に調整することができる。これにより、周囲の明るさ環境に応じて照明装置の制御をする際に、それを柔軟なタイミングで行うことができるとともに、その制御タイミングの調整を容易に行うことができる。
【００７５】
なお、第１の実施形態では、グループアドレスに基づいて、明るさ段階制御を行っているが、パターンアドレスであっても同様に、明るさ段階制御を行うことができる。
【００７６】
図８は、制御アドレスの設定を示す説明図である。図８に示すように、アドレス設定器における４つの設定項目において、その最上段から最下段にかけて、「Ｐ１」「Ｐ２」「Ｐ１」「Ｇ３」に該当するパターンアドレスを順次設定し、これらの設定項目をアドレス設定器にてセンサ入力端末器４０に送信する。センサ入力端末器４０では、アドレス送受信部４０ｅおよびアドレス設定回路４３を通じてアドレス情報がマイクロコンピュータ４１によって取得されると、このアドレス情報が制御アドレスとしてＥＥＰＲＯＭ４６の所定アドレスに格納される。
【００７７】
設定項目の最上段に「Ｐ１」のパターンアドレスを設定することにより、このパターンアドレスは、暗変化のタイミングにおいて制御を行うアドレス情報として機能する。また、設定項目の上から２段目に「Ｐ２」のパターンアドレスを設定することにより、このパターンアドレスは、暗変化のタイミングを基準として、時間設定ボリューム４０ｄによって設定される設定時間だけ遅延したタイミングにおいて制御を行うアドレス情報として機能する。ここで、同図（ｂ）に示すように、「Ｐ２」は、あるエリア内における照明装置の全てをオン状態に制御するパターンであり、「Ｐ１」は、あるエリア内の照明装置の中から選択された一部の照明装置をオン状態に制御し、残りの照明装置をオフ状態に制御するパターンである。すなわち、「Ｐ２」の制御は、あるエリア内の照明装置の全点灯状態となり、「Ｐ１」の制御は、あるエリア内の照明装置の間引き点灯状態となる。
【００７８】
一方、設定項目の最下段に「Ｐ３」のパターンアドレスを設定することにより、このパターンアドレスは、明変化のタイミングにおいて制御を行うアドレス情報として機能する。また、設定項目の下から２段目に「Ｐ１」のパターンアドレスを設定することにより、このパターンアドレスは、明変化のタイミングを基準として、時間設定ボリューム４０ｄによって設定される設定時間だけ遅延したタイミングにおいて制御を行うアドレス情報として機能する。本実施形態では、同図（ｂ）に示すように、「Ｐ３」は、あるエリア内の全ての照明装置をオフ状態に制御するパターンである。すなわち、「Ｐ３」の制御は、あるエリア内の照明装置の全消灯状態となる。
【００７９】
このようなパターンアドレスが制御アドレスとして設定されている場合、上述した図６に示す処理は、ステップ１３，１５，１６，１８が、以下に示すように変更される。具体的には、ステップ１３において、伝送ユニット１０に対する制御指令として「Ｐ１」の制御が出力され、ステップ１５において、伝送ユニット１０に対する制御指令として「Ｐ２」の制御が出力される。また、ステップ１６において、伝送ユニット１０に対する制御指令として「Ｐ１」の制御が出力され、ステップ１８において、伝送ユニット１０に対する制御指令として「Ｐ３」の制御が出力される。
【００８０】
図９は、パターンアドレス対応の明るさ段階制御の流れを時系列的に示す説明図である。同図に示すように、明るさセンサ２からの出力を取得する明るさセンサ検出回路４９を介して、明状態から暗状態への明るさ変化（暗変化）が検知されると、マイクロコンピュータ４１は、この暗変化のタイミングにおいて、伝送ユニット１０に対する制御指令として、「Ｐ１」の制御を出力する。伝送ユニット１０は、この制御指令に基づいて、アドレス情報としてのパターンアドレス（パターン「Ｐ１」）を認識すると、パターン情報を参照し、そのパターン「Ｐ１」に含まれる負荷アドレスと、個々のパターン状態とを特定する（例えば、負荷アドレス「０−１」，「０−３」をオン状態、負荷アドレス「０−２」，「０−４」をオフ状態）。つぎに、伝送ユニット１０は、負荷チャネル「０」のリレー制御用Ｔ／Ｕ２０に対して、該当するリレー２５に対する制御指令を伝送する。そして、負荷チャネル「０」のリレー制御用Ｔ／Ｕ２０によって、自己に接続する負荷ナンバー「１」および負荷ナンバー「３」のリレー２５がオン状態に制御されとともに、自己に接続する負荷ナンバー「２」および負荷ナンバー「４」のリレー２５がオフ状態に制御される。これにより、パターン「Ｐ１」に対応する状態へと照明装置１が一括的に制御され、間引き点灯状態となる。
【００８１】
また、マイクロコンピュータ４１は、暗変化のタイミングから設定時間だけ遅延したタイミングにおいて、伝送ユニット１０に対する制御指令として、「Ｐ２」の制御を出力する。伝送ユニット１０は、この制御指令に基づいて、アドレス情報としてのパターンアドレス（グループ「Ｐ２」）を認識すると、パターン情報を参照し、そのパターン「Ｐ２」に含まれる負荷アドレスと、個々のパターン状態とを特定する（例えば、負荷アドレス「０−１」〜「０−４」のオン状態）。つぎに、伝送ユニット１０は、負荷チャネル「０」のリレー制御用Ｔ／Ｕ２０に対して、該当するリレー２５に対する制御指令を伝送する。そして、負荷チャネル「０」のリレー制御用Ｔ／Ｕ２０によって、自己に接続する負荷ナンバー「１」〜「４」のリレー２５がオン状態に制御される。これにより、パターン「Ｐ２」に対応する状態へと照明装置１が一括的に制御され、全点灯状態となる。
【００８２】
一方、明るさセンサ２からの出力を取得する明るさセンサ検出回路４９を介して、暗状態から明状態への明るさ変化（明変化）が検知されると、マイクロコンピュータ４１は、この明変化のタイミングにおいて、伝送ユニット１０に対する制御指令として、「Ｐ１」の制御を出力する。これにより、上述の如く、パターン「Ｐ１」に対応する状態へと照明装置１が一括的に制御され、間引き点灯状態となる。
【００８３】
また、マイクロコンピュータ４１は、明変化のタイミングから設定時間だけ遅延したタイミングにおいて、伝送ユニット１０に対する制御指令として、「Ｐ３」の制御を出力する。伝送ユニット１０は、この制御指令に基づいて、アドレス情報としてのパターンアドレス（グループ「Ｐ３」）を認識すると、パターン情報を参照し、そのパターン「Ｐ３」に含まれる負荷アドレスと、個々のパターン状態とを特定する（例えば、負荷アドレス「０−１」〜「０−４」のオフ状態）。つぎに、伝送ユニット１０は、負荷チャネル「０」のリレー制御用Ｔ／Ｕ２０に対して、該当するリレー２５に対する制御指令を伝送する。そして、負荷チャネル「０」のリレー制御用Ｔ／Ｕ２０によって、自己に接続する負荷ナンバー「１」〜「４」のリレー２５がオフ状態に制御される。これにより、パターン「Ｐ３」に対応する状態へと照明装置１が一括的に制御され、全消灯状態となる。
【００８４】
このようにパターンアドレスを用いたとしても、上述した実施形態と同様に、不必要な照明装置の点灯にともなうエネルギーロスや、使用者の使用性の向上を図ることができる。
【００８５】
（第２の実施形態）
図１０は、第２の実施形態にかかるセンサ入力端末器４０を模式的に示す外観図である。第２の実施形態にかかるセンサ入力端末器４０が、第１の実施形態のそれと相違する点は、本体４０ａの正面に時間設定ボリューム４０ｄを備えておらず、制御アドレス（グループアドレス）の設定時に、タイマ設定として設定時間を設定することにある。ここで、タイマ設定は、あるアドレス情報、例えば、暗変化に対応して制御するアドレス情報（例えば、「Ｇ１」）に該当する照明装置１の状態を自動的に切替制御（例えば、オン状態からオフ状態への制御）を行うために設定される時間である。なお、センサ入力端末器４０のシステム構成は、第１の実施形態と基本的に同様であり、以下、相違点を中心に説明を行う。
【００８６】
図１１は、制御アドレスの設定を示す説明図である。本実施形態では、アドレス設定器における４つの設定項目において、その最上段から最下段にかけて、「Ｇ１」「Ｇ２」「Ｇ３」「Ｇ２」に該当するグループアドレスを順次設定するとともに、「Ｇ１」に対応するタイマ設定項目に「６０分」を設定し、これらの設定項目をアドレス設定器にてセンサ入力端末器４０に送信する。センサ入力端末器４０では、アドレス送受信部４０ｅおよびアドレス設定回路４３を通じてアドレス情報がマイクロコンピュータ４１によって取得されると、このアドレス情報が制御アドレスおよび設定時間としてＥＥＰＲＯＭ４６の所定アドレスに格納される。
【００８７】
このようにして設定された設定時間は、第１の実施形態において、時間設定ボリューム４０ｄによって設定される設定時間と同様に機能する。すなわち、設定項目の最上段に「Ｇ１」のグループアドレスを設定した場合、このグループアドレスは、暗変化のタイミングにおいてオン制御を行うアドレス情報として機能する。また、設定項目の上から２段目に「Ｇ２」のグループアドレスを設定した場合、このグループアドレスは、暗変化のタイミングを基準として、設定時間（すなわち、「Ｇ１」に対応するタイマ設定（例えば、「６０分」））だけ遅延したタイミングにおいてオン制御を行うアドレス情報として機能する。
【００８８】
このように本実施形態によれば、第１の実施形態と同様、不必要な照明装置の点灯にともなうエネルギーロスや、使用者の使用性の向上を図ることができる。また、本実施形態によれば、アドレス設定にともなうタイマ設定により、設定時間を設定することができる。これにより、時間設定ボリューム４０ｄを省略することが可能となる。また、時間設定ボリューム４０ｄは、これを指で切り替える構造であるため、構造上の制約により、切り替えができる設定時間の数を多く設けることが困難となる可能性がある。しかしながら、本実施形態によれば、構造上の制約がないので、設定時間を細分化することも可能になり、きめ細やかな精度で明るさ段階制御を行うことができる。
【００８９】
なお、本実施形態では、暗変化に対応するタイマ設定の例を説明したが、明変化に対応してタイマ設定を行ってもよい。当然、暗変化および明変化のそれぞれに対応してタイマ設定を行ってもよい。
【００９０】
（第３の実施形態）
以下、第３の実施形態に係るセンサ入力端末器４０について説明する。本実施形態のセンサ入力端末器４０は、第２の実施形態と同様に本体４０ａの正面に時間設定ボリューム４０ｄを備えておらず、かつ、パターンアドレスによって明るさ段階制御を行う点にある。具体的には、制御アドレス（パターンアドレス）の設定時に、フェード時間設定の機能を利用して、設定時間を設定することある。ここで、フェード時間設定は、あるアドレス情報、例えば、暗変化に対応して制御するアドレス情報（後述する「Ｐ１」）に該当する照明装置１の状態を連続的に調光（例えば、１００％点灯から３０％点灯へと調光）するために設定される時間である。なお、センサ入力端末器４０のシステム構成は、第１の実施形態と基本的に同様であり、以下、相違点を中心に説明を行う。
【００９１】
図１２は、第３の実施形態にかかる照明装置の状態制御を示すタイミングチャートである。まず、ステップ２０（Ｓ２０）において、明るさセンサ５５からの入力に基づいて、明状態から暗状態への明るさ変化（暗変化）が検出される。ステップ２１（Ｓ２１）において、センサ入力端末器４０は、信号送受信回路５０を介して、伝送ユニット１０に割り込み要求を送信する。
【００９２】
ステップ２３（Ｓ２３）において、伝送ユニット１０は、割り込み要求として送信された伝送信号に基づいて、自己に接続する端末器（リレー制御用Ｔ／Ｕ２０、センサ入力端末器４０、操作端末器６０）のうち、割り込み要求を行った端末器を特定する。伝送ユニット１０は、伝送信号に含まれるアドレスデータに基づいて、どの端末器（すなわち、センサ入力端末器４０）が割込み要求を行ったこと認識することができる。そして、伝送ユニット１０は、端末器を特定すると、特定した端末器であるセンサ入力端末器４０に対して、割り込み出力を送信する。
【００９３】
ステップ２４（Ｓ２４）において、センサ入力端末器４０は、割り込み出力に対応し、パターンアドレス「Ｐ１」を返信することにより、伝送ユニット１０に対する制御指令として、「Ｐ１」の制御を出力する。
【００９４】
ステップ２５（Ｓ２５）において、伝送ユニット１０は、この制御指令に基づいて、「Ｐ１」の制御を認識すると、パターン情報を参照し、そのパターン「Ｐ１」に含まれる負荷アドレスと、個々のパターン状態とを特定する（例えば、負荷アドレス「０−１」，「０−３」をオン状態、負荷アドレス「０−２」，「０−４」をオフ状態）。つぎに、伝送ユニット１０は、負荷チャネル「０」のリレー制御用Ｔ／Ｕ２０に対して、該当するリレー２５に対する制御指令を伝送する（制御データを出力）。そして、負荷チャネル「０」のリレー制御用Ｔ／Ｕ２０によって、自己に接続する負荷ナンバー「１」および負荷ナンバー「３」のリレー２５がオン状態に制御されとともに、自己に接続する負荷ナンバー「２」および負荷ナンバー「４」のリレー２５がオフ状態に制御される。これにより、パターン「Ｐ１」に対応する状態へと照明装置１が一括的に制御され、間引き点灯状態となる。
【００９５】
ステップ２６（Ｓ２６）において、伝送ユニット１０は、制御アドレス設定において、パターン「Ｐ１」に対応付けられたフェード時間の経過を判定すると、フェード開始の出力を、パターン「Ｐ１」に該当する負荷チャネル「０」のリレー制御用Ｔ／Ｕ２０に対して伝送する。
【００９６】
ステップ２７（Ｓ２７）において、伝送ユニット１０からの伝送信号は信号線を通じ、それに接続する全ての端末器が取得することができるので、センサ入力端末器４０は、伝送ユニット１０からのフェード開始の出力を判断すると、信号送受信回路５０を介して、伝送ユニット１０に割り込み要求を送信する。
【００９７】
ステップ２８（Ｓ２８）において、伝送ユニット１０は、割り込み要求として送信された伝送信号に基づいて、自己に接続する端末器（リレー制御用Ｔ／Ｕ２０、センサ入力端末器４０、操作端末器６０）のうち、割り込み要求を行った端末器を特定する。伝送ユニット１０は、伝送信号に含まれるアドレスデータに基づいて、どの端末器（すなわち、センサ入力端末器４０）が割込み要求を行ったこと認識することができる。そして、伝送ユニット１０は、端末器を特定すると、特定した端末器であるセンサ入力端末器４０に対して、割り込み出力を送信する。
【００９８】
ステップ２９（Ｓ２９）において、センサ入力端末器４０は、アドレス情報として「Ｐ２」を返信することにより、伝送ユニット１０に対する制御指令として、「Ｐ２」の制御を出力する。
【００９９】
ステップ３０（Ｓ３０）において、伝送ユニット１０は、この制御指令に基づいて、「Ｐ２」の制御を認識すると、パターン情報を参照し、その「Ｐ２」に含まれる負荷アドレスと、個々のパターン状態とを特定する（例えば、負荷アドレス「０−１」〜「０−４」をオン状態）。つぎに、伝送ユニット１０は、負荷チャネル「０」のリレー制御用Ｔ／Ｕ２０に対して、該当するリレー２５に対する制御指令を伝送する（制御データを出力）。そして、負荷チャネル「０」のリレー制御用Ｔ／Ｕ２０によって、自己に接続する負荷ナンバー「１」〜「４」のリレー２５がオン状態に制御される。これにより、パターン「Ｐ２」に対応する状態へと照明装置１が一括的に制御され、全点灯状態となる。
【０１００】
また、センサ入力端末器４０は、明るさセンサ５５からの入力に基づいて、暗状態から明状態への明るさ変化が検出すると、上述したステップ２０からステップ３１までの処理に順次、その処理を実行する。
【０１０１】
このように本実施形態によれば、第１の実施形態と同様、不必要な照明装置の点灯にともなうエネルギーロスや、使用者の使用性の向上を図ることができる。また、本実施形態によれば、アドレス設定にともなうフェード時間設定により、設定時間を設定することができる。これにより、時間設定ボリューム４０ｄを省略することが可能となる。また、時間設定ボリューム４０ｄは、これを指で切り替える構造であるため、構造上の制約により、切り替えができる設定時間の数を多く設けることが困難となる可能性がある。しかしながら、本実施形態によれば、構造上の制約がないので、設定時間を細分化することも可能になり、きめ細やかな精度で明るさ段階制御を行うことができる。
【０１０２】
なお、本実施形態では、暗変化に対応するフェード時間設定の例を説明したが、明変化に対応してフェード時間設定を行ってもよい。当然、暗変化および明変化のそれぞれに対応してフェード時間設定を行ってもよい。
【０１０３】
（第４の実施形態）
第４の実施形態におけるセンサ入力端末器４０が、第１の実施形態のそれと相違する点は、暗変化のタイミングを基準として、設定時間だけ先行したタイミングのいて照明装置１を点灯させることにより、照明装置１を段階的に点灯させることある。なお、センサ入力端末器４０のシステム構成は、第１の実施形態と同様であり、以下、相違点を中心に説明を行う。
【０１０４】
図１３は、センサ入力端末器４０を模式的に示す外観図である。センサ入力端末器４０は、筐体である本体４０ａを備え、その本体４０ａの正面に、第１の実施形態に示す構成に加え、液晶表示画面４０ｊが備えられている。液晶表示画面４０ｊは、ユーザがセンサ入力端末器４０の設定を行うに際して各種情報を表示するための画面である。
【０１０５】
また、本実施形態において、アドレス設定切替スイッチ４０ｃは、その設定モードにおいて、制御アドレス設定と動作有効／無効アドレス設定とに加え、現在時刻設定に対応する３つの設定モードが用意されている。
【０１０６】
さらに、本実施形態において、動作確認スイッチ４０ｂは、アドレス設定切替スイッチ４０ｃが設定モードの現在時刻設定に切り替えられている場合、一方の操作スイッチにより、その設定における時刻の「時」を切り替えるためのスイッチとして機能し、他方の操作スイッチにより、その設定における時刻の「分」を切り替えるためのスイッチとして機能する。動作確認スイッチ４０ｂにより、現在時刻設定において、「０」から「２４」の範囲において「時」を切り替えることができ、「０」から「６０」の範囲において「分」を切り替えることができる。
【０１０７】
図１４は、第４の実施形態にかかるセンサ入力端末器４０の構成を示すブロック図である。センサ入力端末器４０は、マイクロコンピュータ４１を主体に構成されており、このマイクロコンピュータ４１には、種々の回路等が接続されている。本実施形態では、上述した第１の実施形態の構成に加え、時計用発振回路５２および液晶表示部５３が接続されている。
【０１０８】
時計用発振回路５２は、センサ入力端末器４０における時計機能用の発振回路である。この時計用発振回路５２は、現在時刻設定において設定される時刻を基準として、現在の時刻を計時しており、マイクロコンピュータ４１によって読み込まれる。
【０１０９】
図１５は、本発明の第４の実施形態にかかるセンサ入力端末器４０の明るさ段階制御の手順を示すフローチャートである。このフローチャートに示す処理は、センサ入力端末器４０のマイクロコンピュータ４１によって実行される。なお、本実施形態では、時間設定ボリューム４０ｄによって、暗変化に対応する設定時間が「−ａ」から「０」の範囲内に設定され、明変化に対応する設定時間が「０」から「＋ａ」の範囲内に設定されていることを前提に処理の説明を行う。
【０１１０】
まず、ステップ４０（Ｓ４０）において、センサ入力端末器４０の動作が有効であるか否かが判断される。このステップ４０において肯定判定された場合、すなわち、動作が有効である場合には、ステップ４１（Ｓ４１）に進む。一方、ステップ４０において否定判定された場合、すなわち、動作が有効でない場合には、後述する処理をスキップして本ルーチンを抜ける。
【０１１１】
ステップ４１（Ｓ４１）において、時計用発振回路５２の計時時刻と、基準時刻から設定時間だけ先行する時刻（基準時刻−設定時間（絶対値））とが対応するか否かが判断される。ここで、基準時刻は、後述するステップ４６（Ｓ４６）において算出される平均時刻であり、設定データとしてＥＥＰＲＯＭ４６に格納されている。マイクロコンピュータ４１は、ＥＥＰＲＯＭ４６を参照することにより、平均時刻を取得することができる。このステップ４１において肯定判定された場合には、ステップ４２（Ｓ４２）に進む。一方、ステップ４１において否定判定された場合には、ステップ４３（Ｓ４３）に進む。
【０１１２】
ステップ４２において、伝送ユニット１０に対する制御指令として、「Ｇ１」のオン制御が出力される。
【０１１３】
ステップ４３において、明るさ変化があったか否かが判断される。具体的には、照明装置周辺の明るさが明状態から暗状態へと明るさ変化（暗変化）した場合、あるいは、照明装置周辺の明るさが暗状態から明状態へと明るさ変化（明変化）した場合には、ステップ４３において肯定判定され、ステップ４４（Ｓ４４）に進む。一方、明るさ変化がない場合には、ステップ４３において否定判定され、本ルーチンを抜ける。
【０１１４】
ステップ４４（Ｓ４４）において、照明装置のオン制御であるか否かが判断される。具体的には、明るさ変化が暗変化であるか否かが判断される。このステップ４４において肯定判定された場合、すなわち、明るさ変化が暗変化である場合には、ステップ４５（Ｓ４５）に進む。一方、ステップ４４において否定判定された場合、すなわち、明るさ変化が暗変化ではない場合には、ステップ４８（Ｓ４８）に進む。
【０１１５】
ステップ４５において、伝送ユニット１０に対する制御指令として、「Ｇ２」のオン制御が出力される。
【０１１６】
ステップ４６において、暗変化に相当する時刻が、時刻データとして、ＥＥＰＲＯＭ４６に格納される。
【０１１７】
ステップ４７（Ｓ４７）において、ＥＥＰＲＯＭ４６に格納されている時刻データ、過去の暗変化に相当する時刻の履歴を参照し、その平均時刻が算出される。算出された平均時間は、新たな基準時間として、ＥＥＰＲＯＭ４６におけるデータが更新される。
【０１１８】
ステップ４８おいて、伝送ユニット１０に対する制御指令として、「Ｇ３」のオフ制御が出力される。
【０１１９】
ステップ４９（Ｓ４９）において、明変化のタイミングから時間設定ボリューム４０ｄによって設定される設定時間だけ経過したか否かが判断される。このステップ４９における処理では、発振回路４８による経過時間が参照される。ステップ４９において肯定判定された場合、すなわち、明変化のタイミングから設定時間が経過した場合には、ステップ５０（Ｓ５０）に進む。一方、ステップ４９において否定判定された場合、すなわち、明変化のタイミングから設定時間が経過していない場合には、所定時間後にステップ４９の処理に戻る。
【０１２０】
ステップ５０において、伝送ユニット１０に対する制御指令として、「Ｇ２」のオフ制御が出力される。
【０１２１】
図１６は、第４の実施形態に示す処理の流れを時系列的に示す説明図である。同図に示すように、マイクロコンピュータ４１は、明るさセンサ検出回路４９を介して明状態から暗状態への明るさ変化（暗変化）が判断されなくとも、基準時刻Ａよりも設定時間だけ先行したタイミングにおいて、伝送ユニット１０に対する制御指令として、「Ｇ１」のオン制御を出力する。伝送ユニット１０は、この制御指令に基づいて、「Ｇ１」のオン制御を認識すると、グループ情報を参照し、「Ｇ１」に含まれる負荷アドレスを特定する（例えば、負荷アドレス「０−１」，「０−３」）。つぎに、伝送ユニット１０は、負荷チャネル「０」のリレー制御用Ｔ／Ｕ２０に対して、該当するリレー２５に対する制御指令を伝送する。そして、負荷チャネル「０」のリレー制御用Ｔ／Ｕ２０によって、自己に接続する負荷ナンバー「１」および負荷ナンバー「３」のリレー２５がオン状態に制御される。これにより、グループ「Ｇ１」に対応する照明装置１がオン状態に一括的に制御され、間引き点灯状態となる。
【０１２２】
また、マイクロコンピュータ４１は、明るさセンサ検出回路４９を介して暗状態から明状態への明るさ変化（暗変化）を判断すると、伝送ユニット１０に対する制御指令として、「Ｇ２」のオン制御を出力する。伝送ユニット１０は、この制御指令に基づいて、「Ｇ２」のオン制御を認識すると、グループ情報を参照し、そのグループ「Ｇ２」に含まれる負荷アドレスを特定する（例えば、負荷アドレス「０−１」〜「０−４」）。つぎに、伝送ユニット１０は、負荷チャネル「０」のリレー制御用Ｔ／Ｕ２０に対して、該当するリレー２５に対する制御指令を伝送する。そして、負荷チャネル「０」のリレー制御用Ｔ／Ｕ２０によって、自己に接続する負荷ナンバー「１」〜「４」のリレー２５がオン状態に制御される。これにより、グループ「Ｇ２」に対応する照明装置１がオン状態に一括的に制御され、全点灯状態となる。
【０１２３】
このように本実施形態によれば、明るさ段階制御により、明るさセンサ５５の出力に基づいて判定される明るさ変化のタイミングと、このタイミング（実際には、過去のデータより統計的に算出される明るさ変化の平均時刻）を基準として設定時間だけ先行させたタイミングとにおいて、照明装置の状態制御が行われる。そのため、例えば、最初のタイミングで間引き点灯を行い、その後のタイミングにおいて全点灯を行うといった制御が可能となる。これにより、周囲の明るさとマッチングがとれた照明装置の状態制御を実現することができる。その結果、不必要な照明装置の点灯にともなうエネルギーロスや、使用者の使用性の向上を図ることができる。
【０１２４】
また、次回に起きる明るさ変化のタイミングが平均時刻であると予測して、この平均時刻を基準に、設定時間だけ先行させたタイミングにおいて、照明装置の状態制御が行われる。これにより、実際に明るさ変化が生じなくとも、照明装置の制御タイミングを先行して設定することができる。
【０１２５】
なお、本実施形態では、グループアドレスに対応した制御を示した、図１６（ｂ）に示すように、第１の実施形態と同様に、パターンアドレスが設定されている場合であっても、適用可能である。
【０１２６】
（第５の実施形態）
第５の実施形態におけるセンサ入力端末器４０が、第４の実施形態のそれと相違する点は、基準時刻に設定される平均時刻を補正して算出する点である。なお、センサ入力端末器４０のシステム構成は、第４の実施形態と同様であり、以下、相違点を中心に説明を行う。
【０１２７】
本実施形態において、センサ入力端末器４０は、第１または第２の実施形態と相違して、以下に示すような機能を備えている。
【０１２８】
まず、アドレス設定切替スイッチ４０ｃを操作して、通常モードから設定モードに切り替えた場合、制御アドレス設定、動作有効／無効アドレス設定、現在時刻設定に加えて、現在の月日を設定する月日設定、照明装置が設置されている地域に該当する番号（例えば、都道府県を指定する番号）を選択する地域選択が可能となる。このアドレス設定切替スイッチ４０ｃは、管理者によって操作可能となっており、通常モードと設定モードとの切り替えのみならず、設定モードにおける制御アドレス、動作有効／無効アドレス、現在時刻設定、月日設定、地域選択の切り替えを行うことができる。
【０１２９】
動作確認スイッチ４０ｂは、アドレス設定切替スイッチ４０ｃが月日設定に切り替えられている場合、一方の操作スイッチにより、その設定における時刻の「月」を切り替えるためのスイッチとして機能し、他方のスイッチにより、その設定における「日」を切り替えるためのスイッチとして機能する。動作確認スイッチ４０ｂにより、月日設定において、「１」から「１２」の範囲において「月」を切り替えることができ、また、「１」から「３１」の範囲において「日」を切り替えることができる。さらに、動作確認スイッチ４０ｂは、アドレス設定切替スイッチ４０ｃが地域選択に切り替えられている場合には、一方の操作スイッチにより、その設定における「地域番号」を切り替えるためのスイッチとして機能する。
【０１３０】
また、本実施形態において、ＥＥＰＲＯＭ４６には、月日および地域番号と、参照時刻とが関連付けられたマップを保持している。この参照時刻は、地域特性と月日特性とが反映された明るさ変化の基準（例えば、日の入り時刻および日の出時刻）を示す時刻であり、実験やシミュレーションを通じて予め取得することができる。
【０１３１】
図１７は、本発明の第５の実施形態にかかるセンサ入力端末器４０の明るさ段階制御の手順を示すフローチャートである。このフローチャートに示す処理は、センサ入力端末器４０のマイクロコンピュータ４１によって実行される。なお、本実施形態では、時間設定ボリューム４０ｄによって、暗変化に対応する設定時間が「−ａ」から「０」の範囲内に設定され、明変化に対応する設定時間が「０」から「＋ａ」の範囲内に設定されていることを前提に処理の説明を行う。
【０１３２】
ここで、同図に示す処理において、ステップ５０（Ｓ５０）からステップ５５（Ｓ５５）までの処理は、第４の実施形態におけるステップ４０からステップ４５までの処理に対応し、また、ステップ６０（Ｓ６０）からステップ６２（Ｓ６２）までの処理は、第４の実施形態におけるステップ４８からステップ５０までの処理に対応する。そこで、重複する説明は省略することとし、以下、相違点であるステップ５６（Ｓ５６）からステップ５９（Ｓ５９）までの処理について説明する。
【０１３３】
まず、ステップ５６において、明変化に相当する時刻（以下「変化時刻」という）が取得される。
【０１３４】
ステップ５７（Ｓ５７）において、月日設定で設定された月日および地域選択で選択された地域番号に基づいて、ＥＥＰＲＯＭ４６に格納されたマップを参照し、これにより、参照時刻が特定される。つぎに、参照時刻と変化時刻との差が算出されると、この時刻の差が規定時間以上であるか否かが判断される。ここで、規定時間は、参照時刻と変化時刻との差が許容できない範囲にまで乖離していることを判定するための時間であり、その最適値が予め設定されている。ステップ５７において肯定判定された場合、すなわち、基準時刻との差が規定時間以上である場合には、ステップ５８（Ｓ５８）およびステップ５９（Ｓ５９）の処理をスキップして、本ルーチンを抜ける。一方、ステップ５７において否定判定された場合、すなわち、基準時刻との差が規定時間よりも小さい場合には、ステップ５８に進む。
【０１３５】
ステップ５８において、変化時刻が、時刻データとして、ＥＥＰＲＯＭ４６に格納される。そして、ステップ５９において、ＥＥＰＲＯＭ４６に格納されている時刻データ、過去の暗変化に相当する時刻の履歴を参照し、その平均時間が算出される。算出された平均時間は、新たな基準時間として、そのデータが更新される。
【０１３６】
このように本実施形態によれば、地域特性と月日特性とに対応した明るさ変化の基準を示す参照時刻に基づいて、平均時刻が補正される。天候等の影響により、明るさ変化の時刻が著しくずれた場合には、平均時間の算出精度が低くなり、ひいては、照明装置の状態制御のタイミングも悪化する虞がある。しかしながら、本実施形態によれば、参照時刻との比較により、明るさ変化に相当する時刻のうち、異常な時刻を時刻データから排除することができる。そのため、平均時間の算出精度の悪化を抑制することができ、さらに、照明装置の状態制御のタイミングの悪化も抑制することができる。
【０１３７】
なお、平均時刻の補正方法としては、上述した手法に限定されず、次に示すような手法であってもよい。具体的には、明るさ変化に相当する時刻を時刻データとしてＥＥＰＲＯＭ４６に格納し、この時刻データに基づいて平均時刻を算出する。そして、この平均時刻と参照時刻との差が規定時間以上である場合には、平均時刻に代えて参照時刻を基準時刻として用いる。このように、参照時刻を代替的に用いることにより、平均時刻の補正としてもよい。
【０１３８】
（第５の実施形態）
図１８は、第５の実施形態にかかるセンサ入力端末器４０を模式的に示す外観図である。第５の実施形態にかかるセンサ入力端末器４０が、第１の実施形態のそれと相違する点は、センサ入力端末器４０が、室内や管理人室などの任意の壁面に設置されることである。なお、センサ入力端末器４０のシステム構成は、第１の実施形態と基本的に同様であり、以下、相違点を中心に説明を行う。
【０１３９】
同図（ａ）に示すように、センサ入力端末器４０は、室内の壁面に配設される壁面プレート４０ｋを備え、その壁面プレート４０ｋの中央表面に、動作確認スイッチ４０ｂ、アドレス設定切替スイッチ４０ｃ、時間設定ボリューム４０ｄ、アドレス送受信部４０ｅ、状態表示ＬＥＤ４０ｆを備えている。また、同図（ｂ）に示すように、センサ入力端末器４０には、壁面プレート４０ｋの裏面側に、電源端子４０ｇ、明るさセンサ端子４０ｈ、および、信号端子４０ｉが備えられている。ここで、電源端子４０ｇの一つは、明るさセンサ端子４０ｈとしての機能をも担っている。
【０１４０】
このように本実施形態によれば、壁面にセンサ入力端末器４０を設けた構成であるので、時間設定ボリューム４０ｄにより、設定時間の調整を容易に行うことができる。
【０１４１】
以上、本発明の好適な実施形態について説明したが、本発明は上記実施形態に限定されるものではなく、要旨を逸脱しない範囲で上記実施形態に種々の改変を施すことができる。例えば、本実施形態では、間引き点灯、全点灯の二段階の制御を行っているが、間引き状態を細分化し、複数段階の制御をおこなってもよい。
【図面の簡単な説明】
【０１４２】
【図１】第１の実施形態にかかる照明制御システムを模式的に示す構成図
【図２】センサ入力端末器４０を模式的に示す外観図
【図３】センサ入力端末器４０の機能的な構成を示すブロック図
【図４】動作有効／無効アドレスの設定を示す説明図
【図５】制御アドレスの設定を示す説明図
【図６】第１の実施形態にかかるセンサ入力端末器４０の明るさ段階制御の手順を示すフローチャート
【図７】第１の実施形態に示す処理の流れを時系列的に示す説明図
【図８】制御アドレスの設定を示す説明図
【図９】パターンアドレス対応の明るさ段階制御の流れを時系列的に示す説明図
【図１０】第２の実施形態にかかるセンサ入力端末器４０を模式的に示す外観図
【図１１】制御アドレスの設定を示す説明図
【図１２】第３の実施形態にかかる照明装置の状態制御を示すタイミングチャート
【図１３】センサ入力端末器４０を模式的に示す外観図
【図１４】第４の実施形態にかかるセンサ入力端末器４０の構成を示すブロック図
【図１５】第４の実施形態にかかるセンサ入力端末器４０の明るさ段階制御の手順を示すフローチャート
【図１６】第４の実施形態に示す処理の流れを時系列的に示す説明図
【図１７】第５の実施形態にかかるセンサ入力端末器４０の明るさ段階制御の手順を示すフローチャート
【図１８】第５の実施形態にかかるセンサ入力端末器４０を模式的に示す外観図
【符号の説明】
【０１４３】
１    照明装置
１０    伝送ユニット
２０    リレー制御用Ｔ／Ｕ
２５    リレー
３０    リモコントランス
４０    センサ入力端末器
４０ａ    本体
４０ｂ    動作確認スイッチ
４０ｃ    アドレス設定切替スイッチ
４０ｄ    時間設定ボリューム
４０ｅ    アドレス送受信部
４０ｆ    状態表示ＬＥＤ
４０ｇ    電源端子
４０ｈ    センサ端子
４０ｉ    信号端子
４０ｊ    液晶表示画面
４０ｋ    壁面プレート
４１    マイクロコンピュータ
４２    時間設定ボリューム入力回路
４３    アドレス設定回路
４４    アドレス設定切替スイッチ入力回路
４５    動作確認スイッチ入力回路
４６    ＥＥＰＲＯＭ
４７    リセット回路
４８    発振回路
４９    センサ検出回路
５０    信号送受信回路
５１    電源回路
５２    時計用発振回路
５３    液晶表示部
５５    明るさセンサ
６０    操作端末器
６１    操作スイッチ
【図１】
0005276839.tif 000002
【図２】
0005276839.tif 000003
【図３】
0005276839.tif 000004
【図４】
0005276839.tif 000005
【図５】
0005276839.tif 000006
【図６】
0005276839.tif 000007
【図７】
0005276839.tif 000008
【図８】
0005276839.tif 000009
【図９】
0005276839.tif 000010
【図１０】
0005276839.tif 000011
【図１１】
0005276839.tif 000012
【図１２】
0005276839.tif 000013
【図１３】
0005276839.tif 000014
【図１４】
0005276839.tif 000015
【図１５】
0005276839.tif 000016
【図１６】
0005276839.tif 000017
【図１７】
0005276839.tif 000018
【図１８】
0005276839.tif 000019